(57)【要約】【課題】通話信号線及び電源線を接続するための端子台が設けられた同一構成の住宅情報盤を用いて集合用インターホン装置を構成するときに、大規模な集合住宅から小規模な集合住宅まで柔軟に対応できるようにする。【解決手段】住宅情報盤１０は、子器側から電源供給される電源線ＬＰの接続端子が設けられ、かつその電源線ＬＰとは異なる電源線の接続端子が設けられ住宅情報盤１０に電源供給する電源装置２０に着脱自在に一体化させることが可能な構成とされる。【選択図】図１
2015204476.tif 000002
【特許請求の範囲】
【請求項１】
子器側から電源供給される電源線の接続端子が設けられた住宅情報盤において、
前記電源線とは異なる電源線の接続端子が設けられ該住宅情報盤に電源供給する電源装置に着脱自在に一体化させることが可能な構成とされていることを特徴とする住宅情報盤。
【請求項２】
請求項１において、
子器側から電源供給を受けるか、前記電源装置から電源供給を受けるかを予め選択する電源選択スイッチが設けられていることを特徴とする住宅情報盤。
【請求項３】
請求項１又は２において、
前記電源装置は該住宅情報盤を収容する化粧枠形状とされていることを特徴とする住宅情報盤。
【請求項４】
請求項３において、
前記電源装置から導出された配線コネクタを接続するための受コネクタが、前記電源装置に対面する面に設けられていることを特徴とする住宅情報盤。
【請求項５】
請求項３又は４に記載の住宅情報盤に対応した化粧枠型電源装置であって、
前記住宅情報盤を収容する収容部と、
前記収容部に収容された住宅情報盤に電源を供給する電源部とが設けられていることを特徴とする化粧枠型電源装置。
【請求項６】
請求項５において、
前記住宅情報盤に電源を供給するための配線コネクタが、該化粧枠に収容された住宅情報盤の受コネクタに対応して配置されていることを特徴とする化粧枠型電源装置。
【請求項７】
請求項５又は６において、
前記化粧枠型電源装置のフロントパネルには、前記住宅情報盤に操作信号を伝送する拡張操作部が設けられていることを特徴とする化粧枠型電源装置。
【請求項８】
請求項１−４のいずれか１項に記載の住宅情報盤を前記電源装置と一体化させ、更に前記子器側と通話信号線によって接続してなる集合用インターホン装置。
【発明の詳細な説明】
【技術分野】
【０００１】
本発明は、集合用インターホン装置を構成する住宅情報盤及びその住宅情報盤に組み合わせられる電源装置に関する。
【背景技術】
【０００２】
前記のような集合用インターホン装置における電源構成の一つとして、インターホンシステム全体を制御する制御装置側から居室親機に電源供給するものがある。例えば次の特許文献には、インターホンシステムの制御装置を端点として複数の居室親機をバス配線で接続し、居室親機は幹線を介して制御装置から電源となる電流を蓄電し、呼出表示を行なう際には不足する電流を放電する大容量蓄電部を備えることが記載されている。
【先行技術文献】
【特許文献】
【０００３】
【特許文献１】特開2011-029968号公報
【発明の概要】
【発明が解決しようとする課題】
【０００４】
集合用インターホン装置の電源構成を前記のように、すなわち制御装置側から供給するいわゆるセンター給電方式とすれば、住宅情報盤は電源回路が不要なため小型でき、手狭な賃貸住宅にもマッチしたものにできた。しかしながら制御装置側と住宅情報盤との間を、通話信号線に加えて電源線によって接続する必要があるため、リニューアル物件等では、電源線を追加配線する工事が必要になることがあった。また制御装置側に設ける電源回路の容量によって接続可能な住宅情報盤の数が制限されるという問題もあった。本発明は、このような問題に対して、大規模な集合住宅から小規模な集合住宅まで柔軟に対応できる住宅情報盤、その住宅情報盤に組み合わせられる電源装置を提供することを目的とする。
【課題を解決するための手段】
【０００５】
本発明は、子器側から電源供給される電源線の接続端子が設けられた住宅情報盤において、前記電源線とは異なる電源線の接続端子が設けられ該住宅情報盤に電源供給する電源装置に着脱自在に一体化させることが可能な構成とされていることを特徴とする。
【０００６】
前記住宅情報盤は、子器側から電源を受けて動作するか、前記電源装置から電源を受けて動作するかを選択するための電源選択スイッチを備えていてもよい。
【０００７】
前記電源装置は該住宅情報盤を収容する化粧枠形状とされていてもよい。
【０００８】
前記電源装置から導出された配線コネクタを接続するための受コネクタが、前記電源装置に対面する面に設けられていてもよい。
【０００９】
本発明は、前記住宅情報盤に対応した化粧枠型電源装置であって、前記住宅情報盤を収容する収容部と、前記収容部に収容された住宅情報盤に電源を供給する電源部とが設けられていることを特徴とする。
【００１０】
前記化粧枠型電源装置は、前記住宅情報盤に電源を供給するための配線コネクタが、該化粧枠型電源装置に収容された住宅情報盤の受コネクタに対応して配置されていてもよい。
【００１１】
前記化粧枠型電源装置のフロントパネルには、前記住宅情報盤に操作信号を伝送する拡張操作部が設けられていてもよい。
【００１２】
また本発明による集合用インターホン装置は、前記住宅情報盤を前記電源装置と一体化させ、更に前記子器側と通話信号線によって接続することによって構成されることを特徴とする。
【発明の効果】
【００１３】
本発明によれば、ニューアル物件において子器側から住宅情報盤に電源供給するために電源線を追加配線せずに済み、また子器側の電源容量によって住宅情報盤の台数が制限されないので、大規模な集合住宅から小規模な集合住宅まで柔軟に対応できる。
【図面の簡単な説明】
【００１４】
【図１】本発明の実施形態の例とされる住宅情報盤及び電源装置（化粧枠）を前方側から見た組立て前斜視図である。
【図２】前記住宅情報盤及び電源装置を後方側から見た組立て前斜視図である。
【図３】前記住宅情報盤及び固定金具を前方側から見た施工説明図である。
【図４】前記住宅情報盤を電源装置の供給する電源によって動作させるようにした集合用インターホン装置の一例を示すシステム配線図である。
【図５】前記住宅情報盤を共同玄関機の供給する電源によって動作させるようにした集合用インターホン装置の一例を示すシステム配線図である。
【発明を実施するための形態】
【００１５】
図１、２はそれぞれ、本発明の実施形態の例とされる住宅情報盤及び電源装置を前方側及び後方側から見た組立て前斜視図である。
【００１６】
住宅情報盤１０は、集合用インターホン装置において、共同玄関機を通話呼出側の子器とする住戸親機であり、基本的には子器側から電源を受けて動作する構成、すなわちセンター給電方式に対応したものを想定している。住宅情報盤１０の基本機能、例えば子器側からの呼出通話等は従来のものと同様であるから、そのような機能に係る説明は割愛する。
【００１７】
住宅情報盤１０の薄型筐体１０ａは樹脂製であり、その内部には、制御回路を構成する基板、電子部品や、通話手段を構成するスピーカ、マイク等が収容されている（いずれも図示なし）。筐体１０ａの前面には、タッチパネルからなる表示操作部１１と、前記スピーカ、マイクにそれぞれ対応したスピーカ孔１２、マイク孔１３と、モード切換キー１４とが設けられている。
【００１８】
また筐体１０ａの背面には、子器側から電源供給される電源線の接続端子、子器側と通話するための通話信号線の接続端子等を含む端子台１５が設けられている。端子台１５に電源線が接続されている場合、住宅情報盤１０は、その電源線から電源供給されて動作する。これらの電源線、通話信号線は、電源と通話信号とが重畳された共用線でもよい。
【００１９】
しかしながらこの実施形態の特徴として、住宅情報盤１０は、住宅情報盤１０に電源を供給する電源装置２０に、着脱自在に一体化させることが可能な構成とされている。後述するように、電源装置２０には、住宅情報盤１０の端子台１５に接続される電源線とは異なる電源線の接続端子が設けられている。そのため住宅情報盤１０を電源装置２０と一体化させた場合、端子台１５に電源線を接続する必要はなくなる。
【００２０】
更に筐体１０ａの背面には、住宅情報盤１０の機器アドレス等を設定するための複数のディップスイッチ１６が端子台１５から分離して設けられている。ディップスイッチ１６に含ませるか、あるいは個別スイッチとして、子器側から電源供給を受けるか、電源装置２０から電源供給を受けるかを予め選択する電源選択スイッチを設けてもよい。そのような電源選択スイッチを設ければ、住宅情報盤１０に、子器側からの電源線と、電源装置２０の両方が接続される場合に、所望の電源選択が可能になる。
【００２１】
住宅情報盤１０を電源装置２０に一体化されるための構成としては、電源装置に対面する筐体１０ａの背面に、電源装置固定手段と、電源装置２０から導出された配線コネクタ２５（電源コネクタ）を接続するための受コネクタ１７とが設けられている。電源装置固定手段は、具体的には、電源装置２０の固定爪２８の各々に対応して設けられた複数の爪受穴１８と、電源装置２０の弾性突起２７の各々に対応して設けられた突起受部１９である。なお電源装置固定手段の構成はこれに限定されるわけではない。
【００２２】
一方、電源装置２０は特にその形状が制限されてはいないが、ここでは住宅情報盤１０を着脱自在に収容する樹脂製の化粧枠形状とされている。そのようにすれば住宅情報盤１０を電源装置２０に一体化させたときの見栄えがよくなる。
【００２３】
この化粧枠型電源装置２０は、具体的には、住宅情報盤１０を収容する収容部２０ａと、収容部２０ａに収容された住宅情報盤１０に電源を供給する電源部２１と、電源部２１を隠すためのカバーパネル２０ｂとからなる。
【００２４】
収容部２０ａは、住宅情報盤１０と同一の左右寸法と、住宅情報盤１０よりも大きな上下寸法を有する樹脂製の基台である。収容部２０ａの下部分は前方に突出し、その突出部２０ｃに連続して外周壁２０ｄが設けられている。外周壁２０ｄに囲まれた部分の上部には、電源部２１が固定されている。電源部２１の左右両側の外周壁２０ｄには、カバーパネル２０ｂの固定突起３１を受ける突起受部２９が形成されている。収容部２０ａの左右両辺には複数の固定爪２８が設けられている。固定爪２８はいずれも外周壁２０ｄのすぐ内側から突出し、その端部が上方に屈曲した形状を有する。また突出部２０ｃの上辺に隣接して複数の弾性突起２７が形成されている。収容部２０ａの底面の中央部には、壁面から導出された通話信号線等を引き込むための配線口２２が形成されている。配線口２２の上下縁に隣接して、電源装置２０を壁面に固定するための複数のネジ孔２３が形成されている。ネジ孔２３の配置は一般的な埋込ボックスに対応させているが、壁面に直接ネジ止めすることもできる。
【００２５】
電源部２１は、整流回路等からなり、住宅情報盤１０の端子台１５に接続される電源線とは別の電源線、具体的には商用電源配線の接続端子として一対のネジ止め端子２４と、住宅情報盤１０に電源を供給する配線コネクタ２５のハーネスとが設けられている。ネジ止め端子２４は、センター給電方式による電源線とは異なる電源線が接続されるのであるから、ローカル電源端子ということになる。配線コネクタ２５は、電源装置２０に収容された住宅情報盤１０の受コネクタ１７の位置に対応して配置するとよい。そのようにすれば住宅情報盤１０を電源装置２０に一体化させたときに、配線コネクタ２５のハーネスの収まり具合がよくなる。また配線コネクタ２５及び受コネクタ１７は、住宅情報盤１０を電源部２１に一体化させたときに、それらが自動的に電気接続されるようにその構造と配置を決めてもよい。そのようにすれば配線コネクタ２５を受コネクタ１７に接続する手間が掛からない。
【００２６】
電源装置２０は、更に、住宅情報盤１０に操作信号を伝送する拡張操作部２６が設けられている。拡張操作部２６は必須ではないが、例えば非常ボタンや警報停止ボタンとして、それらを電源装置２０のフロントパネル部（カバーパネル２０ｂ又は突出部２０ｃの前面）に設けておけば、緊急時の使い勝手等が向上する。なお拡張操作部２６から操作信号を伝送する信号線は配線コネクタ２５を介して住宅情報盤１０に接続するとよい。
【００２７】
カバーパネル２０ｂは、底面が開口した樹脂製の箱型部材であって、拡張操作部２６を構成する操作ボタンを表面に露出させるためのボタン孔３０と、収容部２０ａの突起受部２９に係合する固定突起３１とが形成されている。
【００２８】
住宅情報盤１０と電源装置２０は、住宅情報盤１０が電源装置２０に固定され、更にカバーパネル２０ｂが電源装置２０に取り付けられた状態では、それらの前面が同一面に揃うように奥行寸法が設定されており、違和感なく一体化できる。なお電源装置２０が住宅情報盤１０よりも広い壁面設置面積を有すれば、リニューアル時に取り外した旧い大型住宅情報盤による壁面変色部分を隠すことも容易である。
【００２９】
また住宅情報盤１０は従来と同様の固定金具を用いて壁面に固定することもできる。
【００３０】
図３の施工説明図に示すように、住宅情報盤１０を壁面Ｗに固定するための固定金具４０は、住宅情報盤１０よりも僅かに小さい上下左右寸法を有する略矩形の金属板である。固定金具４０の左右両辺に住宅情報盤１０を固定するための複数の固定爪４８が設けられている。固定爪４８は、電源装置２０の固定爪２８と略同一の形状を有しており、住宅情報盤１０の爪受穴１８に対応して配置されている。固定金具４０の中央部には、壁面Ｗから導出された通話信号線Ｌ、電源線ＬＰを通じさせるための配線口４２が形成されている。配線口４２の上下縁に隣接して複数のネジ孔４３が形成されている。
【００３１】
住宅情報盤１０を壁面Ｗに固定する工事は、電源装置２０を用いる場合でも、固定金具４０を用いる場合でも、基本的に同様な手順行われる。具体的には、まず固定金具４０又は電源装置２０を壁面Ｗに、又は壁面Ｗ内に固定された埋込ボックス（図示なし）にネジ止めする。次いで、壁面Ｗから導出された通話信号線Ｌ等を固定金具４０の配線口４２又は電源装置２０の配線口２２を通じさせて住宅情報盤１０の端子台１５に接続する。電源装置２０を用いた場合は更に電源部２１から導出された配線コネクタ２５を住宅情報盤１０の受コネクタ１７に接続する。そして住宅情報盤１０のディップスイッチ１６で適切な機器アドレスを設定し正常な動作を確認してから、住宅情報盤１０を固定金具４０又は電源装置２０に引掛固定する。
【００３２】
この引掛固定では、住宅情報盤１０の爪受穴１８と、固定金具４０の固定爪４８又は電源装置２０の固定爪２８とを位置合わせた状態として、住宅情報盤１０を固定金具４０又は電源装置２０に押し付けて下方にスライドさせるだけでよい。これにより固定金具４０の固定爪４８又は電源装置２０の固定爪２８が住宅情報盤１０の爪受穴１８の上縁を噛んだ状態になり、住宅情報盤１０が固定金具４０又は電源装置２０にしっかりと固定保持される。
【００３３】
電源装置２０を用いた場合、前記引掛固定によって電源装置２０の弾性突起２７が住宅情報盤１０の突起受部１９に嵌合して、住宅情報盤１０が正しく位置決めされる。更にカバーパネル２０ｂを電源装置２０の上部に嵌めれば、住宅情報盤１０が電源装置２０に対して上下にスライドできなくなるので、住宅情報盤１０が電源装置２０から外れることが確実に防止される。なお固定金具４０又は電源装置２０に引掛固定された住宅情報盤１０は上方にスライドさせれば容易に外すことができる。
【００３４】
前記のように構成された住宅情報盤は、通話呼出側の子器である共同玄関機とともに集合用インターホン装置を構成する。住宅情報盤は、電源装置と一体化させて電源装置の供給する電源によって動作させてもよいし、共同玄関機から導出された電源線に接続して共同玄関機の供給する電源によって動作させてもよい。
【００３５】
図４は、住宅情報盤を電源装置の供給する電源によって動作させるようにした集合用インターホン装置の一例を示すシステム配線図である。図中のＰは商用電源配線を示している。
【００３６】
共同玄関機５０は、共同玄関に設置された通話呼出側の子器であり、集合用インターホン装置１全体の信号伝送を制御する制御装置（図示なし）と一体（別体でもよい）に構成されている。共同玄関機１０の基本機能、例えば住宅情報盤１０に対する呼出通話や訪問者の撮影等は従来のものと同様であるから、そのような機能に係る説明は割愛する。共同玄関機５０には、商用電源を整流し自機及び所定数（例えば２０台）までの住宅情報盤１０に電源供給できる電源部（図示なし）が内蔵されている。共同玄関機５０から通話信号線Ｌ（制御線を含む）が導出されて、各住戸に設置された住宅情報盤１０に分岐器６０を介して接続されている。住宅情報盤１０の各々は電源装置２０と一体化されており、電源装置２０の電源供給を受けて動作する。そのため共同玄関機５０から住宅情報盤１０の各々に電源を供給するための電源線は導出されていない。集合用インターホン装置１の電源構成をこのようにすれば、リニューアル物件等で子器側から各住戸まで電源線が敷設されていなくても、電源線を追加配線する工事は必要とされない。
【００３７】
図５は、住宅情報盤を、共同玄関機の供給する電源によって動作させるようにした集合用インターホン装置の一例を示すシステム配線図である。共同玄関機５０は図４のものと同一である。共同玄関機５０から通話信号線Ｌに並列に電源線ＬＰが導出されており、各住戸に設置された住宅情報盤１０に分岐器６０を介して接続されている。そのため住宅情報盤１０は、電源装置２０と一体化されていなくても電源線ＬＰから電源を受けて動作できる。なお住宅情報盤１０の数は前記所定数以下である。
【００３８】
このように本実施例の住宅情報盤は、電源装置を一体化させてそこから電源供給を受けて動作することも、又子器側から電源供給を受けて動作することも可能である。また同一システム内に、電源装置から電源供給を受ける住宅情報盤と、子器側から電源供給を受ける住宅情報盤とを混在させることもできる。したがって、集合用インターホン装置を構成するときに、同一構成とされる住宅情報盤、共同玄関機を用いながらも、大規模な集合住宅から小規模な集合住宅まで柔軟に対応できる。
【符号の説明】
【００３９】
１      集合用インターホン装置
１０    住宅情報盤
１５    端子台
１７    受コネクタ
２０    電源装置
２０ａ  収容部
２１    電源部
２４    ネジ止め端子
２５    配線コネクタ
２６    拡張操作部
Ｌ      通話信号線
ＬＰ    電源線
【図１】
2015204476.tif 000003
【図２】
2015204476.tif 000004
【図３】
2015204476.tif 000005
【図４】
2015204476.tif 000006
【図５】
2015204476.tif 000007